(57)【特許請求の範囲】
【請求項１】
薄型表示筐体を備えた本体筐体と、この本体筐体を下方より支持する一対の取付部材を備えたスタンドとから構成され、
前記本体筐体は、その底面部に前記一対の取付部材を取り付けるための嵌合穴を備え、
前記スタンドは、上方に張り出した前記一対の取付部材を備えたＵ字筺体と、このＵ字筺体を支持するベース部とから構成され、
前記Ｕ字筺体は、前記ベース部の中央に取り付けられる第１ベース取付部と、前記ベース部の両端で前記取付部材を支持する第２ベース取付部と、該第２ベース取付部と前記第１ベース取付部との間に空間部を形成するように一方向に迂回して前記第２ベース取付部と前記第１ベース取付部とを連結する棒状のベース連結部とを含んで構成され、
前記空間部に対応する前記本体筐体の底面部に、操作スイッチ部または外部接続コネクタ部の一方または両方を配置したことを特徴とするスタンド付表示装置。
【請求項２】
薄型表示筐体を備えた本体筐体と、この本体筐体を下方より支持する一対の取付部材を備えたスタンドとから構成され、
前記本体筐体は、その底面部に前記一対の取付部材を取り付けるための嵌合穴を備え、
前記スタンドは、上方に張り出した前記一対の取付部材を備えたＵ字筺体と、このＵ字筺体を支持するベース部とから構成され、
前記Ｕ字筺体は、棒状に形成された横長のベース連結部に対して、前記ベース部の中央に取り付けられる第１ベース取付部と、前記ベース部の両端で前記取付部材を支持する第２ベース取付部とが一方向に張り出して、前記第１ベース取付部と一対の第２ベース取付部とが前記ベース連結部の長手方向と平行な中心線に並ぶように配置され、
前記第１ベース取付部と一対の第２ベース取付部との間に形成される空間部に対応する前記本体筐体の底面部に、操作スイッチ部または外部接続コネクタ部の一方または両方を配置した
ことを特徴とするスタンド付表示装置。
【請求項３】
請求項１または請求項２に記載のスタンド付表示装置において、
前記ベース連結部は、前記第１ベース取付部と一対の第２ベース取付部と対向する辺側を、前記第１ベース取付部の近傍が太く、前記一対の第２ベース取付部の近傍が細くなるように弧状に形成され、前記第１ベース取付部の近傍の上部に凹部を形成した
ことを特徴とするスタンド付表示装置。
【発明の詳細な説明】
【技術分野】
【０００１】
本発明は、液晶ディスプレイやプラズマディスプレイなどの表示装置に係り、特に、本体筐体と、この本体筺体を下方から支持するスタンドとを備えた表示装置に関するものである。
【背景技術】
【０００２】
近年、液晶ディスプレイやプラズマディスプレイなどの薄型表示装置が脚光を浴びている。特に、テレビジョン受像機では、４０インチ前後の大型画面を有する薄型テレビの需要が高まっている。これら大型の薄型テレビは、その画面が大きいことから、部屋内に占める面積も大きく、また高額商品であることから、高級感の演出やインテリアにマッチするように様々な工夫が施されている。
【０００３】
一般に、この種の薄型表示装置では、表示画面を囲うフレームの下方に開閉蓋を設け、この開閉蓋内や本体筺体の側面や上面に操作スイッチを設けている。また、外部装置との接続用コネクタは、前記開閉蓋内や本体筺体の側面や上面、本体筺体の裏面に設けた凹部に設けている。
【０００４】
そしてまた、これら薄型表示装置では、液晶ディスプレイに一対の補強部材を設けて、この補強部材に嵌合する一対の支持棒を備えたスタンドで下方より支持する構造を備えている。
【０００５】
【特許文献１】特開平２００６−３０４０７９号公報
【特許文献２】特開平２００７−１５９０４８号公報
【発明の開示】
【発明が解決しようとする課題】
【０００６】
テレビジョン受像機などの機器では、その操作を遠隔操作装置で行うのが一般的である。しかし、遠隔操作装置が紛失した際にも操作可能なように、本体筐体の前面に開閉蓋を設け、この開閉蓋内に操作スイッチを配置したり、本体筺体の側面に操作スイッチを配置したものが一般的である。しかし、高品位の質感や意匠性を向上させたフレーム構造、また本体筺体を薄く見せることを実現しようとすると、操作スイッチの配置が大きな課題である。同様に、テレビジョン受像機は、録画再生機などの外部装置との接続を簡単に行えるように、接続コネクタを前記開閉蓋内に設けたものがある。
【０００７】
前記操作スイッチや接続コネクタはテレビジョン受像機の操作性に関するものであるために、正面以外の筐体の部位に設けると操作性が著しく損なわれる可能性がある。ただ、これら操作スイッチや接続コネクタを本体筐体の前面近傍の周側面に設ければ、前記操作性の課題を解決することができる。しかし、これらテレビジョン受像機は、取付金具等を介して壁面などに取り付けられるケースもあり、壁面などに取り付けた際の操作性を考慮すると、操作スイッチや接続コネクタを本体筐体の上面や両側面には設けにくい課題がある。
【０００８】
一方、本体筐体の底面部は、操作性を損なうことなく操作スイッチや接続コネクタを配置するスペースとしては有効である。しかし、この種の大型表示装置では、本体筐体を支持するスタンドが邪魔をして有効な配置スペースとして活用できない課題がある。
【０００９】
そこで、この発明の目的とするところは、本体筐体の底面に操作スイッチや接続コネクタ等の操作機器を配置するスペースを確保したスタンド付薄型表示装置を提供することにある。
【課題を解決するための手段】
【００１０】
前記目的を達成するために、本発明に係るスタンド付表示装置は、薄型表示筐体を備えた本体筐体と、この本体筐体を下方より支持する一対の取付部材を備えたスタンドとから構成され、前記本体筐体は、その底面部に前記一対の取付部材を取り付けるための嵌合穴を備え、前記スタンドは、上方に張り出した前記一対の取付部材を備えたＵ字筺体と、このＵ字筺体を支持するベース部とから構成され、前記Ｕ字筺体は、前記ベース部の中央に取り付けられる第１ベース取付部と、前記ベース部の両端で前記取付部材を支持する第２ベース取付部と、該第２ベース取付部と前記第１ベース取付部との間に空間部を形成するように一方向に迂回して前記第２ベース取付部と前記第１ベース取付部とを連結する棒状のベース連結部とを含んで構成され、前記空間部に対応する前記本体筐体の底面部に、操作スイッチ部または外部接続コネクタ部の一方または両方を配置するようにする。
【発明の効果】
【００１１】
本発明によれば、本体筐体の前面部に操作スイッチ部と外部コネクタ部を設けなくとも、同等の操作性を得ることができるとともに、本体筐体の支持構造に支障をきたすことなく、本体筐体の前面部の意匠性を向上することができる。
【発明を実施するための最良の形態】
【００１２】
以下、図１から図３を参照し、この発明に係るスタンド付表示装置について、テレビジョン受像機を事例として具体的に説明する。なお、同一部位や同一矢印などは同一符号を付して、重複した説明を省略する。
【００１３】
先ず、図１を参照して、この実施形態に係るテレビジョン受像機の概略構造を説明する。図１は、テレビジョン受像機の部品展開図であり、中央に部品展開図、左上に外観図を示している。図１において、符号１で総括的に示すテレビジョン受像機は、４０インチ程度の液晶モニタ装置１０を備えた薄型のテレビジョン受像機１を想定している。このテレビジョン受像機１は、液晶モニタ装置１０を備えた本体筐体１００と、この本体筐体１００を下方より支持するスタンド２００とから構成している。このスタンド２００は、本体筐体１００に対して着脱可能であり、スタンド２００を取り付けた際には、床面や図示しないテレビ台に設置することができ、このスタンド２００を取り外せば、取付金具等を介して本体筐体１００を壁面などに取り付けることができる。この実施形態では、正面下部にスピーカ３０を設けたボトムスピーカタイプで説明するが、これに限定されるものではなく、正面の両側にスピーカ３０を設けたサイドスピーカタイプや、スピーカ３０を持たないモニタにも主要な構成を適用することができる。
【００１４】
本体筐体１００は、この本体筐体１００の前面を構成するフロントケース１０１と、この本体筐体１００の後部を構成するバックケース１０２と、このバックケース１０２とフロントケース１０１との間に収められる液晶モニタ装置１０とを含んで構成される。
【００１５】
前記フロントケース１０１は、液晶モニタ装置１０の表示画面１０ａの周囲を囲むようにロ字状に形成されるフロントベゼル１０３と、このフロントベゼル１０３とバックケース１０２とを連結するロ字状のベゼルベース１０４とから構成される。この実施形態では、フロントベゼル１０３を透明な樹脂材料または顔料が混入された透光性のある樹脂材料で形成し、その裏面に塗装を施している。また、ベゼルベース１０４は、樹脂材料で形成され、その裏面にバックケース１０２とネジ止めする構造を備えている。一方、バックケース１０２は、樹脂材料で形成され、ベゼルベース１０４との間に液晶モニタ装置１０を保持している。
【００１６】
この実施形態では、液晶モニタ装置１０を公知の技術で形成しているため詳細な説明は省略するが、その裏面を金属板１１で形成するとともに、この金属板１１に金属材料で形成される補強柱１２を複数本設けることで、この液晶モニタ装置１０自身を主要な強度部材としている。そして、この強度部材に前記フロントベゼル１０３とベゼルベース１０４及びバックケース１０２を取り付けることで、本体筐体１００の全体の強度を維持している。
【００１７】
また、前記スタンド２００は、その上部に一対の取付部材２０１を備えており、この取付部材２０１を前記補強柱１２に挿入して取り付けることで、下方より本体筐体１００を支持することができる。なお、壁面取り付けの場合は、前記補強柱１２に図示しない取付金具をバックケース１０２から取り付け、この取付金具を介して壁面に取り付けるようにする。
【００１８】
そして、この実施形態に係るテレビジョン受像機１の大きな特徴の１つは、薄型表示筐体（液晶モニタ装置）１０を備えた本体筐体１００と、この本体筐体１００を下方より支持する一対の取付部材２０１を備えたスタンド２００とから構成され、前記本体筐体１００は、その底面部に前記一対の取付部材２０１を取り付けるための嵌合穴２１２を備え、前記スタンド２００は、上方に張り出した一対の前記取付部材２０１を備えたＵ字筺体２０２と、このＵ字筺体２０２を支持するベース部２０３とから構成され、前記Ｕ字筺体２０２は、前記ベース部２０３の中央に取り付けられる第１ベース取付部２０５と、前記ベース部２０３の両端で前記取付部材２０１を支持する第２ベース取付部２０６と、該第２ベース取付部２０６と前記第１ベース取付部２０５との間に空間部２１１を形成するように一方向に迂回して前記第２ベース取付部２０６と前記第１ベース取付部２０５とを連結する棒状のベース連結部２０４とを含んで構成され、前記空間部２１１に対応する前記本体筐体１００の底面部に、操作スイッチ部３１または外部コネクタ部３２の一方または両方を配置した点にある。
【００１９】
この構造によれば、本体筐体１００の前面部に操作スイッチ部３１と外部コネクタ部３２を設けなくとも、本体筐体１００の前面部に設けた場合と同等の操作性を得ることができる。しかも、本体筐体１００の前面部の意匠性を向上できるとともに、本体筐体１００の支持構造にも支障をきたすことがない。
【００２０】
以下、図２および図３を参照して、この実施形態に係るテレビジョン受像機を具体的に説明する。ここで、図２はテレビジョン受像機の外観図であり、図２（ａ）が平面図、図２（ｂ）が正面図、図２（ｃ）が右側面図、図２（ｄ）が背面図、図２（ｅ）が左側面図、図２（ｆ）が底面図である。図３はスタンドの取付部材の外観図であり、図３（ａ）が平面図、図３（ｂ）が正面図、図３（ｃ）が使用状態の側面図、図３（ｄ）が外観斜視図である。
【００２１】
先ず、図２を参照して、このテレビジョン受像機１の外観形状を説明する。この実施形態では、液晶モニタ装置１０の表示画面１０ａを矩形状に露出させ、その周囲を囲うようにロ字状のフロントベゼル１０３を設けている。このフロントベゼル１０３は、透明樹脂材料または顔料を混入させることで、色彩を備えた透光性のある樹脂材料で形成される。そして、このフロントベゼル１０３は、その裏面に塗装層を備えた内周面１０５と、塗装層を備えない外周面１０６に分割され、この外周面１０６が本体筐体１００の外周にツバ状に張り出した形状としている。
【００２２】
また、この実施形態では、操作スイッチ部３１と外部コネクタ部３２を本体筐体１００の底面部に設けている。従来技術においては、操作スイッチ部３１を表示画面の下部のフレームに設けた蓋内や、本体筺体１００の側面や上面に納めるのが一般的である。また、外部コネクタ部３２は、表示画面の下部のフレームに設けた蓋内に納めたり、あるいは、本体筐体１００の側面、更には裏面側に設けるのが一般的である。特に、本体筐体１００の正面に操作スイッチ部３１や外部コネクタ部３２を設けたものにあっては、開閉蓋がデザイン性を損なわせたり、あるいは、外部装置との配線が見えてしまうという課題があった。
【００２３】
そこで、この実施形態では、図１に示すように、操作基板３１ａと外部コネクタ基板３２ａをそれぞれ補強柱１２の間に設ける構造を採用している。これにより、本体筐体１００の底面に操作スイッチ部３１と外部コネクタ部３２を左右に分けて設けたことにより、開閉蓋をフロントベゼル１０３に設ける必要が無いので、デザイン性を向上させることができ、かつ操作性や配線処理にも支障をきたすことがない。
【００２４】
次に、図３を参照して、スタンド２００の具体的な構造を説明する。図３において、この実施形態に係るスタンド２００は、底面に操作スイッチ部３１と外部コネクタ部３２とを備えた本体筺体１００を支持するのに最適な構造を備えたものである。このスタンド２００は、上方に張り出した一対の取付部材２０１を備えたＵ字筺体２０２と、このＵ字筺体２０２を支持するベース部２０３とから構成される。ここで、この実施形態では、ベース部２０３を上面形状が矩形状の薄い板状の形態で図示しているが、これに限定されるものではなく、Ｕ字筺体２０２を支持して、床面や支持ベースを支持するものであれば足りる。
【００２５】
Ｕ字筺体２０２は、棒状に形成された横長のベース連結部２０４に対して、その中央に配置された第１ベース取付部２０５と、両端に配置された第２ベース取付部２０６とが一方向に張り出して、ベース連結部２０４の長手方向と平行な中心線２０７に並ぶように配置されている。前記第１ベース取付部２０５には、ベース部２０３と連結するネジ穴２０８が設けられ、第２ベース取付部２０６には、上方に伸びる取付部材２０１が設けられている。この一対の取付部材２０１には、ネジ穴２０９が設けられており、この取付部材２０１を補強柱１２に挿入してネジ穴２０９を介して固定することで、スタンド２００と本体筺体１００とを連結することができる。
【００２６】
ベース連結部２０４は、中心線２０７と対向する他の側面は中央が太く両側が細くなるように平面形状が弧状に形成され、その中央部分の太い部分の上面には、凹状の切欠部２１０が形成されている。
【００２７】
さて、この実施形態に係るＵ字筺体２０２の特徴は、第１ベース取付部２０５と、この第１ベース取付部２０５の両側に配置される第２ベース取付部２０６との間に空間部２１１を形成するように、第１ベース取付部２０５と一対の第２ベース取付部２０６とを迂回するベース連結部２０４で連結した点にある。即ち、この実施形態では、第１ベース取付部２０５と一対の第２ベース取付部２０６とを中心線２０７の軸線上に配列することで、本体筺体１００の重量を、取付部材２０１を介して第２ベース取付部２０６で支持し、これを同軸上の第１ベース取付部２０５を介してベース部２０３で支持することができるので、本体筺体１００の重量を無理なくベース部２０３で支持することができる。
【００２８】
そして何より、前記第１ベース取付部２０５の両側に設けられた空間部２１１を開放することで、この位置に対応する本体筺体１００の底面を開放することができる。従来例においては、ベース連結部２０４を直線状とし、この直線状のベース連結部２０４の中央に第１ベース取付部２０５、ベース連結部２０４の両側に第２ベース取付部２０６をそれぞれ設けている。このため、ベース連結部２０４と隣接する本体筺体１００の底面部は、ベース連結部２０４に邪魔されることになり、他の配置スペース、例えば、操作スイッチ部３１や外部コネクタ部３２の配置スペースとして活用できない無効空間となっていた。
【００２９】
しかし、この実施形態では、第１ベース取付部２０５の両側に開放された空間部２１１が形成されているので、この空間部２１１に隣接する本体筺体１００の底面部を他の配置スペースとして活用することができる。この実施形態では、この本体筺体１００の底面部に操作スイッチ部３１と外部コネクタ部３２とを左右に分けて配置しているので、使用者は、ベース連結部２０４によって邪魔されることなく、この操作スイッチ部３１と外部コネクタ部３２を操作または利用することができる。
【００３０】
なお、この実施形態では、本体筺体１００の底面に操作スイッチ部３１と外部コネクタ部３２を配置しているが、本体筺体１００の底面にどちらか一方を配置しただけでも大きな効果を得ることができる。
【００３１】
また、図３（ｃ）に示すように、この実施形態では、第１ベース取付部２０５と対向するベース連結部２０４側に切欠部２１０を設けることで、本体筺体１００から伸びるコード類を無理なく（大きく曲げることなど）他の機器に導くようにしている。
【００３２】
なお、前記実施形態では、液晶モニタ装置を備えたテレビジョン受像機を事例に説明したが、これに限定されるものではなく、プラズマモニタ装置を搭載したテレビジョン受像機でもよい。また、テレビジョン受像機に限定されるものではなく、パーソナルコンピュータなどと接続されるモニタ装置にも適用することができる。
【図面の簡単な説明】
【００３３】
【図１】テレビジョン受像機の部品展開図である。
【図２】テレビジョン受像機の外観図である。
【図３】スタンドの取付部材の外観図である。
【符号の説明】
【００３４】
１…テレビジョン受像機、１０…液晶モニタ装置、１０ａ…表示画面、１１…金属板、１２…補強柱、２０…プラズマモニタ装置、２１…枠筺体、２２…画面保護ガラス、２３…プラズマパネル、２４…基板類、３０…スピーカ、３１…操作スイッチ部、３１ａ…操作基板、３２ａ…外部コネクタ基板、３２…外部コネクタ部、１００…本体筐体、１０１…フロントケース、１０２…バックケース、１０２ａ…ネジ取付部、１０３…フロントベゼル、１０４…ベゼルベース、１０４ａ…ネジ止部、１０５…内周面、１０６…外周面、１０７…突出リブ、２００…スタンド、２０１…取付部材、２０２…Ｕ字筺体、２０３…ベース部、２０４…ベース連結部、２０５…第１ベース取付部、２０６…第２ベース取付部、２０７…中心線、２０８、２０９…ネジ穴、２１０…切欠部、２１１…空間部、２１２…嵌合穴。
【図１】
0005094332.tif 000002
【図２】
0005094332.tif 000003
【図３】
0005094332.tif 000004